(57)【要約】  本発明は、地面や異物との接触及び摩擦が多い履物の特定部位を覆いながらも地面の状態を測定できるように構成して、履物が損傷されないように保護することにより、耐久性を大幅に増大させることができ、履物の外観を綺麗に飾ることにより、高級化及び多様化を図り、履物の着用者が足を踏んだ地面の状態を簡単に測定できる履物用水準器を提供するためのものである。本発明の履物用水準器は、耐衝撃性及び耐磨耗性に優れた素材で成型され、靴の先端部または側部を覆う形状で取り付けられるように形成された靴カバー部と、靴カバー部に地面の状態を肉眼で測定できるように水準器ユニットを備えてなる地面測定部とから構成されたものである。また、本発明の履物用水準器は、耐衝撃性及び耐磨耗性に優れた素材で成型され、靴の先端部または側部のうちいずれか一つを覆った形状で取り付けられるように形成される靴カバー部と、靴カバー部の上部にＸ方向に水準器ユニットを備えてなるＸ方向の地面測定部と、靴カバー部の上部から内側に延長されてＹ方向に水準器ユニットを備えてなるＹ方向の地面測定部とから構成されたものである。
2013502267.tif 000002
【特許請求の範囲】
【請求項１】
耐衝撃性および耐磨耗性に優れた素材で成型され、履物の先端部を覆った形態で取り付けられるように形成された靴カバー部と、前記靴カバー部に地面の状態を肉眼で測定できるように水準器ユニットを備えてなる地面測定部とから構成されることを特徴とする履物用水準器。
【請求項２】
前記靴カバー部は、上部から下部側へ漸進的に厚さが薄くなるようにするものの、その下部における縁部が内側に向けて曲線で延長形成される靴底保護部を有することを特徴とする、請求項１に記載の履物用水準器。
【請求項３】
前記靴カバー部はその下部先端部に平らに形成される掛止部を有することを特徴とする、請求項１に記載の履物用水準器。
【請求項４】
前記靴カバー部は、その下部先端部に形成される連結部であり、履物の靴底の先端上部に一体で連結されることを特徴とする、請求項１に記載の履物用水準器。
【請求項５】
前記地面測定部は、靴カバー部の上部に確保された平滑面に左右方向に直線形の長溝を形成しておき、該直線形の長溝内に直線形に上部が突出するように水準器ユニットを挿着することからなることを特徴とする、請求項１に記載の履物用水準器。
【請求項６】
前記地面測定部は、靴カバー部の上部に確保された平滑面に左右方向に曲線形の長溝を形成しておき、該曲線形の長溝内に曲線形に上部が突出するように水準器ユニットを挿着してなることを特徴とする、請求項１に記載の履物用水準器。
【請求項７】
前記地面測定部の水準器ユニットは、一側が開放形成されている個別型ケース内に気泡が形成されるように液体を注入し、液体が注入された状態で開放されている個別型透明ケースの一側を密封させて、個別型透明ケースの外面に長さ方向に複数個の目盛りを等分して表示するが、該目盛りが上部外側に露出されるように個別型透明ケースを前記靴カバー部の上面に形成された直線形の長溝内に嵌め込んで設けることを特徴とする、請求項１に記載の履物用水準器。
【請求項８】
前記地面測定部の水準器ユニットは、靴カバー部の上面に透明性の素材にして一側が開放されている一体型透明ケースを突出するように形成するものの、開放された一側を通じて一体型透明ケース内に気泡が形成されるように液体を注入し、液体が注入された状態で一体型透明ケースの開放された一側を密封させて、該一体型透明ケースの外面に長さ方向に複数個の目盛りを等分表示してなることを特徴とする、請求項１に記載の履物用水準器。
【請求項９】
前記地面測定部の水準器ユニットは、透明性の素材で成型された靴カバー部の上部付近に一側が開放されている水準器形成用の長孔を形成するものの、開放されている一側を通じて水準器形成用の長孔内に気泡が形成されるように液体を注入し、液体が注入された状態で水準器形成用の長孔の開放された一側を密封させ、前記靴カバー部上面の水準器形成用の長孔の直上部に位置するように長さ方向に複数個の目盛りを等分表示してなることを特徴とする、請求項１に記載の履物用水準器。
【請求項１０】
耐衝撃性および耐磨耗性に優れた素材で成型され、履物の側部を覆った形態で取り付けられるように形成された靴カバー部と、前記靴カバー部に地面の状態を肉眼で測定できるように水準器ユニットを備えてなる地面測定部とから構成されることを特徴とする履物用水準器。
【請求項１１】
前記靴カバー部は、上部から下部側へ漸進的に厚さが薄くなるようにするものの、その下部における縁部が内側に向けて曲線で延長形成される靴底保護部を有することを特徴とする、請求項１０に記載の履物用水準器。
【請求項１２】
前記靴カバー部は、その下部先端部に平らに形成される掛止部を有することを特徴とする、請求項１０に記載の履物用水準器
【請求項１３】
前記靴カバー部は、その下部先端部に形成される連結部であり、履物の靴底の側部上部に一体で形成されることを特徴とする、請求項１０に記載の履物用水準器。
【請求項１４】
前記地面測定部は、靴カバー部の上部に確保された平滑面に左右方向に直線形の長溝を形成しておき、該直線形の長溝内に直線形に上部が突出するように水準器ユニットを挿着してなることを特徴とする、請求項１０に記載の履物用水準器。
【請求項１５】
前記地面測定部は、靴カバー部の上部に確保された平滑面に左右方向に曲線形の長溝を形成しておき、該曲線形の長溝内に曲線形に上部が突出するように水準器ユニットを挿着してなることを特徴とする、請求項１０に記載の履物用水準器。
【請求項１６】
前記地面測定部の水準器ユニットは、一側が開放形成されている個別型ケース内に気泡が形成されるように液体を注入し、液体が注入された状態で開放されている個別型透明ケースの一側を密封させて、個別型透明ケースの外面に長さ方向に複数個の目盛りを等分して表示するが、該目盛りが上部外側に露出されるように個別型透明ケースを前記靴カバー部の上面に形成された直線形の長溝内に嵌め込んで設けることを特徴とする、請求項１０に記載の履物用水準器。
【請求項１７】
前記地面測定部の水準器ユニットは、靴カバー部の上面に透明性の素材にして一側が開放されている一体型透明ケースを突出するように形成するものの、開放された一側を通じて一体型透明ケース内に気泡が形成されるように液体を注入し、液体が注入された状態で一体型透明ケースの開放された一側を密封させて、該一体型透明ケースの外面に長さ方向に複数個の目盛りを等分表示してなることを特徴とする、請求項１０に記載の履物用水準器。
【請求項１８】
前記地面測定部の水準器ユニットは、透明性の素材で成型された靴カバー部の上部付近に一側が開放されている水準器形成用の長孔を形成するものの、開放されている一側を通じて水準器形成用の長孔内に気泡が形成されるように液体を注入し、液体が注入された状態で水準器形成用の長孔の開放された一側を密封させ、前記靴カバー部の上面の水準器形成用の長孔の直上部に位置するように長さ方向に複数個の目盛りを等分表示してなることを特徴とする、請求項１０に記載の履物用水準器。
【請求項１９】
耐衝撃性及び耐磨耗性に優れた素材で成型され、履物の先端部または側部のうちいずれか一つを覆った形状で取り付けられるように形成される靴カバー部と、該靴カバー部の上部にＸ方向に水準器ユニットを備えてなるＸ方向の地面測定部と、前記靴カバー部の上部から内側に延長されてＹ方向に水準器ユニットを備えてなるＹ方向の地面測定部とから構成されることを特徴とする履物用水準器。
【請求項２０】
前記靴カバー部は、上部から下部側へ漸進的に厚さが薄くなるようにするものの、その下部における縁部が内側に向けて曲線で延長形成される靴底保護部を有することを特徴とする、請求項１９に記載の履物用水準器。
【請求項２１】
前記Ｘ方向の地面測定部は、前記靴カバー部の上面に左右方向に直線形の長孔を形成しておき、その直線形の長孔内に直線形に上部が突出するようにＸ方向の水準器ユニットを挿着することからなり、前記Ｙ方向の地面測定部の上面に前後方向に窪んで形成された直線形の長孔を形成しておき、その直線形の長孔内に直線形に上部が突出するようにＹ方向の水準器ユニットを挿着してなることを特徴とする請求項１９に記載の履物用水準器。
【請求項２２】
前記Ｘ方向及びＹ方向の地面測定部における水準器ユニットは、それぞれ一側が開放形成された個別型透明ケース内に気泡が形成されるように液体を注入し、液体が注入された状態で開放されている個別型透明ケースの一側を密封させ、個別型透明ケースの外面に長さ方向に複数個の目盛りを等分して表示し、該目盛りが上部外側に露出されるように個別型透明ケースを前記靴カバー部の上面に形成された直線形の長溝内に嵌め込んで設けることを特徴とする請求項１９に記載の履物用水準器。
【発明の詳細な説明】
【技術分野】
【０００１】
本発明は、履物の着用者が足を踏んだ地面の水平または傾斜状態を肉眼で測定できるように履物に設けて用いる履物用水準器に関するものである。
【背景技術】
【０００２】
履物用水準器は、運動靴や靴などの履物を着用した着用者が地面に足を踏み出す状態をチェックできるように設けて歩行姿勢を矯正するために活用したり、ゴルフ靴や作業靴などの特殊靴を着用している着用者が足を踏んだ地面の水平または傾斜状態を肉眼で測定できるように設けることから、それぞれの使用目的に応じて、ゴルフ場でのプレーの時にパッティング能力を向上させることができ、工事現場での作業時に能率を向上させることができるように開発されている。
【０００３】
該履物用水準器と関連した技術として、韓国登録実用新案公報第２０−０１８４５９３（２０００．０６．０１登録公報）号には、ゴルフ靴の前上段部分に取り付けられた水平計と、該水平計が水平を維持できるように水平計の下段に水平維持固定装置とからなっている水平計が取り付けられたゴルフ靴が先出願公開されている。
【０００４】
また、韓国登録実用新案公報第２０−０２０００２６（２０００．１０．１６登録公報）号にはゴルフ靴のかかとの内側面に水平計を付着固定したゴルフ靴が掲載されている。
【０００５】
このような従来の発明は、ゴルフ靴の前上段部分またはゴルフ靴のかかとに水平計が取り付けられているので、ゴルファーが足を踏んだ地点のフィールドやグリーンの高低、傾斜度などを把握した後、アプローチ姿勢とゴルフボールの打撃方向及び打撃強度を決定してショットまたはパッティングできるようになるので、ゴルファーの実力を向上させることができる長所があった。
【０００６】
しかしながら、従来の発明はゴルフ靴の前上段部分またはゴルフ靴のかかとに水平計が取り付けられているため、ゴルファーが歩行、ショット、パッティング動作をする時、足を曲げたり伸ばしたりする動きを妨害してしまうことになり、ゴルファーが地面に足を踏むとズボン裾により水平計が遮られる現象が発生して、ゴルファーが水平計を観測し難い上に、ゴルフ靴の外観が不良になる原因を提供して、着用時に拒否感を誘発させるなどの問題点があった。
【０００７】
一方、前述した問題点を解決するために本出願人が案出したものとして、韓国公開特許公報第２００９−００５２１３１号（２００９．０５．２５公開）の“水準器が備えられた履物”と韓国公開特許公報第２００９−００５２１３２（２００９．０５．２５公開）の“水準器が備えられたゴルフ靴”が先出願公開されている。
【０００８】
このような先出願公開発明は共通的に靴底または甲皮の先端縁と側面縁にそれぞれ設けられるＸ方向水準器とＹ方向水準器を有しているので、靴やゴルフ靴を着用した着用者が足を踏んだ地面に対する前後左右の高低及び傾斜度を正確に把握できるようにする長所があった。さらに、Ｘ方向水準器は先端縁に、Ｙ方向水準器は側面縁に設けられているので、着用者が歩行、ショット、パッティング動作をする時、足を曲げ伸ばす動きを妨害しなくなり、地面に足を踏む時にズボン裾により水準器が遮られなくなり、水準器を容易に観測できるようになり、外観が不良になることを防止して、着用者に満足感を与えるなどの長所があることも事実である。
【０００９】
しかしながら、前述した先出願公告発明において、Ｘ方向水準器とＹ方向水準器は、単に地面の状態を測定可能にする機能のみを発揮するように構成及び設置されているので、靴またはゴルフ靴の損傷を予防したり品質レベルを向上させるまでには至らなかった。
【００１０】
すなわち、靴またはゴルフ靴の先端縁に設けられたＸ方向水準器と側面縁に設けられたＹ方向水準器は、靴またはゴルフ靴の外観を保護し綺麗に装飾するような構成条件を満たしていないので、靴やゴルフ靴の着用者が歩行移動したりゴルフ場でのプレー時、地面や異物との接触及び摩擦の多い靴またはゴルフ靴の先端部と側部の損傷を招くため、結果的に靴またはゴルフ靴の外観を常に新品同様の最上の状態に維持・管理することが難しく、使用寿命の延長が困難であり、とりわけ高品質のレベルを期待する消費者の要求に応えて靴またはゴルフ靴を高級化かつ多様化できないという短所があった。
【先行技術文献】
【特許文献】
【００１１】
【特許文献１】韓国登録実用新案公報第２０−０１８４５９３（２０００．０６．０１登録公報）号
【特許文献２】韓国登録実用新案公報第２０−０２０００２６（２０００．１０．１６登録公報）号
【特許文献３】韓国公開特許公報第２００９−００５２１３１号（２００９．０５．２５公開）
【特許文献４】韓国公開特許公報第２００９−００５２１３２（２００９．０５．２５公開）
【発明の概要】
【発明が解決しようとする課題】
【００１２】
本発明は、地面や異物との接触及び摩擦が多い靴またはゴルフ靴の特定部位を覆いながらも地面の状態を測定できるように構成して、第一に、靴が損傷されないように保護することにより、耐久性を大幅に増大させ得る履物用水準器を提供することにその目的があり、第二に、靴の外観を綺麗に飾ることにより、高級化及び多様化が図れるような履物用水準器を提供することにその目的があり、第三に、履物の着用者が足を踏んだ地面の状態を簡単に測定できるようにして、利便性を高めた履物用水準器を提供することに目的がある。
【課題を解決するための手段】
【００１３】
本発明の履物用水準器は、耐衝撃性及び耐磨耗性に優れた素材で成型され、靴の先端部を覆う形状で取り付けられるように形成された靴カバー部と、靴カバー部に地面の状態を肉眼で測定できるように水準器ユニットを備えてなる地面測定部とから構成されることを技術構成上の特徴とする。
【００１４】
すなわち、本発明の履物用水準器は、履物の先端部を靴カバー部で覆って保護及び装飾すると同時に、履物の着用者が靴カバー部に水準器ユニットを備えてなる地面測定部により地面の状態を容易に測定できるように構成されたものである。
【発明の効果】
【００１５】
このように構成された本発明は、第一に、作業靴、運動靴、靴などの履物を着用した着用者が歩行移動したり、ゴルフ靴のような履物を着用している着用者がゴルフ場でショットまたはパッティング動作を行う時、地面や異物との摩擦及び衝突により損傷しやすい履物の先端部を靴カバー部で覆って保護するようになるので、履物が常に新品同様の綺麗な状態を保持しながらも使用寿命を延長することができ、第二に、履物の先端部が靴カバー部で覆われて綺麗に見せることができるので、履物の外観を視覚的に目立たせると同時に変化を与えて高品質を期待する履物の着用者の要求を充足することができ、第三に、靴カバー部に水準器ユニットを備えてなる地面測定部により運動靴、靴などの履物を着用した着用者が足を踏む状態をチェックして歩行姿勢を矯正できるようにし、ゴルフ靴、作業靴などの履物を着用した着用者が足を踏んだ地面の水平や傾斜状態を測定してゴルフ場でのプレーの時にパッティング能力を向上させることができ、工事現場での作業時に能率を向上させることができる。
【図面の簡単な説明】
【００１６】
【図１】本発明の実施例の履物用水準器を履物の先端部に設置する前の分離状態を示した一部切欠斜視図である。
【図２】本発明の実施例の履物用水準器を履物の先端部に設置した状態を示した一部切欠平面図である。
【図３】図２における一側断面図である。
【図４】本発明の実施例に係るもので、靴カバー部に掛止部と靴底保護部を有する履物用水準器の設置状態を示した一側断面図である。
【図５】本発明の実施例に係るもので、靴カバー部に連結部を有する履物用水準器の設置状態を示した一側断面図である。
【図６】本発明の実施例に係るもので、地面測定部に曲線形の水準器ユニットを備えた履物用水準器の設置状態を示した一部切欠平面図である。
【図７】本発明の実施例に係るもので、地面測定部に一体型透明ケースからなる水準器ユニットを備えた履物用水準器を示した一部切欠斜視図である。
【図８】本発明の実施例に係るもので、地面測定部に水準器形成用の長孔からなる水準器ユニットを備えた履物用水準器を示した一部切欠斜視図である。
【図９】本発明の一実施例における履物用水準器を履物の側部に設ける前の分離状態を示した一部切欠斜視図である。
【図１０】本発明の一実施例における履物用水準器を履物の側部に設けた状態を示した一部切欠平面図である。
【図１１】図１０における正断面図である。
【図１２】本発明の一実施例に係るもので、靴カバー部に掛止部と靴底保護部を有する履物用水準器の設置状態を示した断面図である。
【図１３】本発明の一実施例に係るもので、靴カバー部に連結部を有する履物用水準器の設置状態を示した断面図である。
【図１４】本発明の一実施例に係るもので、地面測定部に曲線形の水準器ユニットを備えた履物用水準器の設置状態を示した一部切欠平面図である。
【図１５】本発明の一実施例に係るもので、地面測定部に一体型透明ケースからなる水準器ユニットを備えた履物用水準器を示した一部切欠斜視図である。
【図１６】本発明の一実施例に係るもので、地面測定部に水準器形成用の長孔からなる水準器ユニットを備えた履物用水準器を示した一部切欠斜視図である。
【図１７】本発明の他の実施例における履物用水準器を示した斜視図である。
【図１８】本発明の他の実施例における履物用水準器を設置した状態を示した一側断面図である。
【発明を実施するための形態】
【００１７】
以下、添付図面に示される具体的な実施例を参照して、本発明の技術内容を詳細に説明すると下記の通りである。
【００１８】
靴カバー部１０は履物２の先端部Ａを覆って保護する構成部である。
【００１９】
図１乃至図３に示された本発明の実施例において、靴カバー部１０は全体的に弓形状に形成され、内側に窪んだ当接面１１を通じて履物２の先端部Ａに当接接合させることにより、履物２の先端部Ａが地面または異物との摩擦や衝突により損傷されることを防止することができると例示されている。この際、靴カバー部１０の当接面１１には接着剤を塗布して履物２の先端部Ａに堅固に当接接合できるようにする。
【００２０】
そして、靴カバー部１０は軽量で耐磨耗性に優れた合成樹脂またはゴムのうちいずれか一つを素材にして成型することが望ましい。なぜならば、履物２の先端部Ａに靴カバー部１０を付着固定させて本発明の履物用水準器１を設ける時、履物２の重量が増加するのを抑えて着用感を向上させ、靴カバー部１０を履物２の先端部Ａに取り付けられた状態で地面または異物との摩擦や衝突に十分耐えさせるためである。
【００２１】
また、靴カバー部１０は、その上部の断面厚さを厚く形成して、靴カバー部１０の上部に水準器ユニット２０ａを備えてなる地面測定部２０を配置するのに必要な面積を確保できるようにする。
【００２２】
なお、靴カバー部１０は、上部から下部側へ漸進的に厚さが薄くなるようにするものの、その下部における縁部が内側に向けて曲線で延長形成される靴底保護部１２を有して、運動靴のように外側に突出した縁部が存在しない履物２の先端部Ａ側の甲皮２ａと靴底２ｂを共に覆って保護できるようにする。
【００２３】
本発明の実施例に係るもので、図４に示すように、靴カバー部１０はその下部先端部に平らに形成される掛止部１３を有することも可能である。かかる掛止部１３は、ゴルフ靴を初め作業靴、靴などのような履物２の先端部Ａ側から外側へ突出された靴底縁部２ｃ上に掛けられて、靴カバー部１０が一層安定した状態で甲皮２ａを覆って保護できるようにする。この際、靴カバー部１０の掛止部１３の外側先端部に内角が直角をなすように延長される補助靴底保護部１４を形成して、履物２の先端部Ａ側の甲皮２ａを靴カバー部１０で覆って保護し、履物２の先端部Ａ側の甲皮２ｃを補助靴底保護部１４で覆って保護するようにする。
【００２４】
本発明の実施例に係るもので、図５に示したように、靴カバー部１０はその下部先端部に形成される連結部１５であって、履物２の靴底２ｂの前上部に一体で連結されてもよい。これは、靴カバー部１０の下部先端部が連結部１５を通じて履物２の靴底２ｂの前上部に一体で連結させて、履物２を製作する過程において、靴底２ｂと共に靴カバー部１０を一度に甲皮２ａに取付けさせることにより、履物２の製作作業を統合及び単純化して生産性を増大させることができる。
【００２５】
地面測定部２０は備えられた水準器ユニット２０ａにより地面の状態を測定できるようにする構成部である。
【００２６】
図１乃至図３に示される本発明の実施例において、地面測定部２０は靴カバー部１０の上部に水準器ユニット２０ａを備えて、履物の着用者が足を踏んだ地面の水平または傾斜状態を水準器ユニット２０ａを通じて肉眼で測定できるようにしたものが例示されている。
【００２７】
そして、地面測定部２０は、靴カバー部１０の上部に確保された平滑面に左右方向に直線形の長溝２０ｂを形成しておき、該直線形の長溝２０ｂ内に直線形に上部が突出するように水準器ユニット２０ａを挿着してなるものが例示されているが、図６に示すように、地面測定部２０は靴カバー部１０の上部に確保された平滑面に左右方向に曲線形の長溝２０ｃを形成しておき、その曲線形の長溝２０ｃ内に曲線形に上部が突出するように水準器ユニット２０ａを挿着してもよいことを述べておく。
【００２８】
ここで、地面測定部２０は、靴カバー部１０の上面に形成された直線形の長溝２０ｂや曲線形の長溝２０ｃを半円弧形または半多角形のうちいずれかの断面形状に凹設させ、該長溝に相応するように円弧形または多角形のうちいずれか一つの断面形状に水準器ユニット２０ａを形成し、靴カバー部１０の上面に形成された直線形の長溝２０ｂや曲線形の長溝２０ｃに水準器ユニット２０ａを嵌め込んで接着剤などで接着させて、靴カバー部１０の上部に半円筒形または半多角筒形のうちいずれか一つの形状に水準器ユニット２０ａが突出して設けられるようにする。
【００２９】
本発明の実施例において、地面測定部２０の水準器ユニット２０ａは一側が開放形成されている個別型透明ケース２０ａ−１内に気泡２１が形成されるように液体２２を注入し、液体２２が注入された状態で開放されている個別型透明ケース２０ａ−１の一側を密封させ、個別型透明ケース２０ａ−１の外面に長さ方向に複数個の目盛り２３を等分して表示するが、該目盛りが上部外側に露出されるように個別型透明ケース２０ａ−１を靴カバー部１０の上面に形成された直線形の長溝２０ｂ内に嵌め込んで設けることで、履物の着用者が足を踏んだ地面の水平または傾斜状態に応じて個別型透明ケース２０ａ−１内の気泡２１が動き出して目盛り２３を指示させて、地面の状態を肉眼で測定できるようにする。この際、開放されている個別型透明ケース２０ａ−１の一側は、該透明ケースと同様の材質の透明性密封材料を熱または接着剤などで接合させて密封するようになる。
【００３０】
また、本発明の実施例に係るもので、図７に示すように、地面測定部２０の水準器ユニット２０ａは靴カバー部１０の上面に透明性の素材にして一側が開放されている一体型透明ケース２０ａ−２を突出するように形成するものの、開放されている一側を通じて一体型透明ケース２０ａ−２内に気泡２１が形成されるように液体２２を注入し、液体２２が注入された状態で一体型透明ケース２０ａ−２の開放されている一側を密封させ、該一体型透明ケース２０ａ−２の外面に長さ方向に複数個の目盛り２３を等分表示してなるものである。このような地面測定部２０の水準器ユニット２０ａは、靴カバー部１０の上部に一体で設けることから、靴カバー部１０と地面測定部２０を一つの金型で一度に成型製作できるようになるので、履物用水準器１の製作にかかる設備コスト及び製作コストを大幅節減できる。この際、一体型透明ケース２０ａ−２は半円弧形または半多角形のうちいずれか一つの断面形状であり、一側が開放されるように形成され、開放されている一体型透明ケース２０ａ−２の一側は液体２２を注入した後に透明性密封材料で密封することになる。
【００３１】
なお、本発明の実施例に係るもので、図８に示すように、地面測定部２０の水準器ユニット２０ａは透明性の素材で成型された靴カバー部２０の上部付近に一側が開放されている水準器形成用の長孔２０ａ−３を形成するものの、開放されている一側を通じて水準器形成用の長孔２０ａ−３内に気泡２１が形成されるように液体２２を注入し、液体２２が注入された状態で水準器形成用の長孔２０−３の開放された一側を密封させ、靴カバー部１０の上面の水準器形成用の長孔２０ａ−３の直上部に位置するように長さ方向に複数個の目盛り２３を等分表示してなるものである。かかる地面測定部２０の水準器ユニット２０ａは靴カバー部１０の断面に内設させて、外部の衝撃から水準器ユニット２０ａが守られるようにするため、地面測定部２０自体の破損を防止して使用寿命を延長できるようになる。この際、水準器形成用の長孔２０ａ−３は半円弧形または半多角形の断面形状であり、一側が開放されるように形成され、開放されている水準器形成用の長孔２０ａ−３の一側は液体２２を注入した後に透明性の密封材料で密封することになる。
【００３２】
一方、図９乃至図１１は本発明の一実施例を示したものである。
【００３３】
本発明の一実施例における履物用水準器１は、耐衝撃性及び耐磨耗性に優れた素材で成型され、履物２の側部Ｂを覆う形状で取り付けられるように形成された靴カバー部１０−１と、該靴カバー部１０−１に地面の状態を肉眼で測定できるように水準器ユニット２０ａを備えてなる地面測定部２０−１とから構成されることを技術構成上の特徴とする。
【００３４】
かかる本発明の一実施例における履物用水準器１は、履物２の側部Ｂを靴カバー部１０−１で覆って保護し、綺麗に飾ると同時に、履物の着用者が水準器ユニット２０ａを備えてなる地面測定部２０−１により地面の状態を測定できるようにすることで、第一に、作業靴、運動靴、靴などの履物を着用した着用者が歩行移動したり、ゴルフ靴のような履物を着用した着用者がゴルフ場でショットまたはパッティング動作を行う時、地面や異物との摩擦及び衝突により損傷しやすい履物２の側部Ｂを靴カバー部１０−１で覆って保護するようになるので、履物２が常に新品同様の綺麗な状態を保持しながらも使用寿命を延長することができ、第二に、履物２の側部Ｂが靴カバー部１０−１で覆われて綺麗に見せることができるので、履物２の外観を視覚的に目立たせると同時に変化を与えて高品質を期待する履物の着用者の要求を充足することができ、第三に、靴カバー部１０−１に水準器ユニット２０ａを備えてなる地面測定部２０−１により運動靴、靴などの履物を着用した着用者が足を踏む状態をチェックして歩行姿勢を矯正できるようにし、ゴルフ靴、作業靴などの履物を着用した着用者が足を踏んだ地面の水平や傾斜状態を測定してゴルフ場でのプレーの時にパッティング能力を向上させることができ、工事現場での作業時に能率を向上させることができる。
【００３５】
本発明の一実施例において、靴カバー部１０−１は全体的に弓形状に形成され、内側に窪んだ当接面１１を通じて履物２の側部Ｂに当接接合させることにより、履物２の側部Ｂが地面または異物との摩擦や衝突により損傷されることを防止することができると例示されている。この際、靴カバー部１０−１の当接面１１には接着剤を塗布して履物２の側部Ｂに堅固に当接接合できるようにする。
【００３６】
そして、靴カバー部１０−１は、上部から下部側へ漸進的に厚さが薄くなるようにするものの、その下部における縁部が内側に向けて曲線で延長形成される靴底保護部１２を有して、運動靴のように外側に突出した縁部が存在しない履物２の側部Ｂ側の甲皮２ａと靴底２ｂを共に覆って保護できるようにする。
【００３７】
本発明の一実施例に係るもので、図１２に示すように、靴カバー部１０−１はその下部先端部に平らに形成される掛止部１３を有してもよい。かかる掛止部１３は、ゴルフ靴を初め作業靴、靴などのような履物２の側部Ｂ側から外側へ突出された靴底縁部２ｃ上に掛けられて、靴カバー部１０−１が一層安定した状態で甲皮２ａを覆って保護できるようにする。この際、靴カバー部１０−１の掛止部１３の外側先端部に内角が直角をなすように延長される補助靴底保護部１４を形成して、履物２の側部Ｂ側の甲皮２ａを靴カバー部１０−１で覆って保護して、履物２の側部Ｂ側の甲皮２ｃを補助靴底保護部１４で覆って保護できるようにする。
【００３８】
本発明の一実施例に係るもので、図１３に示したように、靴カバー部１０−１はその下部先端部に形成される連結部１５であり、履物２の靴底２ｂの側部上部に一体で形成されてもよい。これは、靴カバー部１０−１の下部先端部が連結部１５を通じて履物２の靴底２ｂの側部上部に一体で連結されて、履物２を製作する過程において、靴底２ｂと共に靴カバー部１０−１を一度に甲皮２ａに取付けさせることにより、履物２の製作作業を統合及び単純化して生産性を増大することができる。
【００３９】
本発明の一実施例において、地面測定部２０−１は、靴カバー部１０−１の上部に確保された平滑面に左右方向に直線形の長溝２０ｂを形成しておき、該直線形の長溝２０ｂ内に直線形に上部が突出するように水準器ユニット２０ａを挿着し、履物の着用者が足を踏んだ地面の水平または傾斜状態を水準器ユニット２０ａを通じて肉眼で測定できるようにしたことが例示されている。
【００４０】
また、地面測定部２０−１は、図１４に示すように、靴カバー部１０−１の上部に確保された平滑面に左右方向に直線形の長溝２０ｃを形成しておき、該直線形の長溝２０ｃ内に直線形に上部が突出するように水準器ユニット２０ａを挿着し、履物の着用者が足を踏んだ地面の水平または傾斜状態を水準器ユニット２０ａを通じて肉眼で測定できるようにすることも可能であると述べておく。
【００４１】
ここで、地面測定部２０−１は、靴カバー部１０−１の上面に形成された直線形の長溝２０ｂや曲線形の長溝２０ｃが半円弧形または半多角形のうちいずれか一つの断面形状で凹設され、該長溝に相応するように円弧形または多角形のうちいずれか一つの断面形状で水準器ユニット２０ａを形成し、靴カバー部１０−１の上面に形成された直線形の長溝２０ｂや曲線形の長溝２０ｃに水準器ユニット２０ａを嵌め込んで接着剤などで接着させて、靴カバー部１０−１の上部に半円筒形または半多角筒形のうちいずれか一つの形状で水準器ユニット２０ａが突出して設けられるようにする。
【００４２】
本発明の実施例において、地面測定部２０−１の水準器ユニット２０ａは一側が開放形成されている個別型ケース２０ａ−１内に気泡２１が形成されるように液体２２を注入し、液体２２が注入された状態で開放されている個別型透明ケース２０ａ−１の一側を密封させ、個別型透明ケース２０ａ−１の外面に長さ方向に複数個の目盛り２３を等分して表示するものの、該目盛りが上部外側に露出されるように個別型透明ケース２０ａ−１を靴カバー部１０−１の上面に形成された長溝２０ｂ内に嵌め込んで設けることで、履物の着用者が足を踏んだ地面の水平または傾斜状態に応じて個別型透明ケース２０ａ−１内の気泡２１が動き出して目盛り２３を指示させることにより、地面の状態を肉眼で測定できるようになる。この際、開放されている個別型透明ケース２０ａ−１の一側は、該透明ケースと同様の材質の透明性密封材料を熱または接着剤などで接合させて密封することになる。
【００４３】
また、本発明の一実施例に係るもので、図１５に示すように、地面測定部２０−１の水準器ユニット２０ａは靴カバー部１０−１の上面に透明性の素材にして一側が開放されている一体型透明ケース２０ａ−２を突出して形成するものの、開放されている一側を通じて一体型透明ケース２０ａ−２内に気泡２１が形成されるように液体２２を注入し、液体２２が注入された状態で一体型透明ケース２０ａ−２の開放されている一側を密封させ、該一体型透明ケース２０ａ−２の外面に長さ方向に複数個の目盛り２３を等分表示してなるものである。かかる地面測定部２０の水準器ユニット２０ａは靴カバー部１０−１の上部に一体で設けられて、靴カバー部１０−１と地面測定部２０−１を一つの金型で一度に成型製作できるようになるため、履物用水準器１の製作にかかる設備コスト及び製作コストを大幅節減できる。この際、一体型透明ケース２０ａ−２は半円弧形または半多角形のうちいずれか一つの断面形状であり、一側が開放されるように形成され、開放されている一体型透明ケース２０ａ−２の一側は液体２２を注入した後に透明性密封材料で密封することになる。
【００４４】
なお、本発明の一実施例に係るもので、図１６に示すように、地面測定部２０−１の水準器ユニット２０ａは透明性の素材で成型された靴カバー部１０−１の上部付近に一側が開放されている水準器形成用の長孔２０ａ−３を形成するものの、開放されている一側を通じて水準器形成用の長孔２０ａ−３内に気泡２１が形成されるように液体２２を注入し、液体２２が注入された状態で水準器形成用の長孔２０−３の開放されている一側を密封させ、靴カバー部１０−１の上面の水準器形成用の長孔２０ａ−３の直上部に位置するように長さ方向に複数個の目盛り２３を等分表示してなるものである。かかる地面測定部２０−１の水準器ユニット２０ａは靴カバー部１０−１の断面に内設されて、外部の衝撃から水準器ユニット２０ａが守られるようにするため、地面測定部２０−１自体の破損を防止して使用寿命を延長できるようにする。この際、水準器形成用の長孔２０ａ−３は半円弧形または半多角形の断面形状であり、一側が開放されるように形成され、開放されている水準器形成用の長孔２０ａ−３の一側は液体２２を注入した後に透明性の密封材料で密封することになる。
【００４５】
図１７及び図１８は本発明の他の実施例を示したものである。
【００４６】
本発明の他の実施例における履物用水準器１は、耐衝撃性及び耐磨耗性に優れた素材で成型され、履物２の先端部Ａまたは側部Ｂのうちいずれか一つを覆った形状で取り付けられるように形成される靴カバー部１０−２と、該靴カバー部１０−２の上部にＸ方向に水準器ユニット２０ａを備えてなるＸ方向の地面測定部２０−２と、靴カバー部１０−２の上部から内側に延長されてＹ方向に水準器ユニット２０ａを備えてなるＹ方向の地面測定部２０−３とから構成されたものである。
【００４７】
かかる本発明の他の実施例によると、履物２の先端部Ａまたは側部Ｂのうちいずれか一つに取り付けられるように形成された靴カバー部１０−２の上部にＸ方向及びＹ方向に水準器ユニット２０ａをそれぞれ備えてなるＸ方向及びＹ方向の地面測定部２０−２、２０−３を有するため、履物の着用者が足を踏んだ地面に対する前後左右の４方向の水平及び傾斜状態を一度に測定できる長所がある。
【００４８】
本発明の他の実施例において、靴カバー部１０−２は全体的に弓形状に形成され、内側に窪んだ当接面１１を通じて履物２の先端部Ａに当接接合させるさせることにより、履物２の先端部Ａが地面または異物との摩擦や衝突により損傷されることを防止することができると例示されている。この際、靴カバー部１０−２の当接面１１には接着剤を塗布して履物２の先端部Ａに堅固に当接接合できるようになる。
【００４９】
なお、靴カバー部１０−２は、上部から下部側へ漸進的に厚さが薄くなるようにするものの、その下部における縁部が内側に向けて曲線で延長形成される靴底保護部１２を有し、運動靴のように外側に突出した縁部が存在しない履物２の先端部Ａ側の甲皮２ａと靴底２ｂを共に覆って保護できるようにする。
【００５０】
本発明の他の実施例において、Ｘ方向の地面測定部２０−２は、靴カバー部１０−２の上面に左右方向に直線形の長孔２０ｂを形成しておき、その直線形の長孔２０ｂ内に直線形に上部が突出するようにＸ方向の水準器ユニット２０ａを挿着することからなり、Ｙ方向の地面測定部２０−３は、靴カバー部１０−２の上部中央から内側へ延長される延長部２０ｄの上面に前後方向に窪んで形成された直線形の長孔２０ｂを形成しておき、その直線形の長孔２０ｂ内に直線形に上部が突出するようにＹ方向の水準器ユニット２０ａを挿着することからなる。
【００５１】
そして、Ｘ方向およびＹ方向の地面測定部２０−２、２０−３の水準器ユニット２０ａはそれぞれ一側が開放形成された個別型透明ケース２０ａ−１内に気泡２１が形成されるように液体２２を注入し、液体２２が注入された状態で開放されている個別型透明ケース２０ａ−１の一側を密封させて、個別型透明ケース２０ａ−１の外面に長さ方向に複数個の目盛り２３を等分して表示するが、該目盛りが上部外側に露出されるように個別型透明ケース２０ａ−１を靴カバー部１０−２の上面に形成された直線形の長溝２０ｂ内に嵌め込んで設けることで、履物の着用者が足を踏んだ地面の水平または傾斜状態に応じて個別型透明ケース２０ａ−１内の気泡２１が動き出して目盛り２３を指示させることにより、地面の状態を肉眼で測定できるようになる。この際、開放されている個別型透明ケース２０ａ−１の一側は、該透明ケースと同様の材質の透明性密封材料を熱または接着剤などで接合させて密封することになる。
【符号の説明】
【００５２】
１            履物用水準器
２            履物
２ａ          甲皮
２ｂ          靴底
２ｃ          靴底縁部
Ａ            先端部
Ｂ            側部
１０，１０−１，１０−２      靴カバー部
１１          当接部
１２          靴底保護部
１３          掛止部
１４          補助靴底保護部
１５          連結部
２０，２０−１                地面測定部
２０−２，２０−３            Ｘ方向及びＹ方向の地面測定部
２０ａ        水準器ユニット
２０ａ−１    個別型透明ケース
２０ａ−２    一体型透明ケース
２０ａ−３    水準器形成用長孔
２０ｂ        直線形の長孔
２０ｃ        曲線形の長孔
２０ｄ        延長部
２１          気泡
２２          液体
２３          目盛り
【図１】
2013502267.tif 000003
【図２】
2013502267.tif 000004
【図３】
2013502267.tif 000005
【図４】
2013502267.tif 000006
【図５】
2013502267.tif 000007
【図６】
2013502267.tif 000008
【図７】
2013502267.tif 000009
【図８】
2013502267.tif 000010
【図９】
2013502267.tif 000011
【図１０】
2013502267.tif 000012
【図１１】
2013502267.tif 000013
【図１２】
2013502267.tif 000014
【図１３】
2013502267.tif 000015
【図１４】
2013502267.tif 000016
【図１５】
2013502267.tif 000017
【図１６】
2013502267.tif 000018
【図１７】
2013502267.tif 000019
【図１８】
2013502267.tif 000020
【国際調査報告】
2013502267.tif 000021
2013502267.tif 000022
2013502267.tif 000023
2013502267.tif 000024